(57)【要約】      （修正有）【課題】メモリ機構をアッパレールとロアレール内に完全に配設させることができるシート調整装置を提供する。【解決手段】ロアレール１とアッパレール２内には操作レバー３により作動されかつアッパレール２に回動可能に取付けた連結部材４と、該連結部材に接続させかつアッパレール２に回動可能に取付けた連動部材５と、ケーブル２９を介してシートバックに連結させかつアッパレール２に回動可能に取付けると共にシートバックの起立位置に付勢させたロック解除部材６と、レールの摺動を規制するロック歯８を有しかつアッパレールに回動可能に取付けると共にロック位置に付勢させたロック部材９とを配設させてある。ロアレールの下面には係合孔１０と係合片１１とを有するシート位置を記憶するメモリプレート１２を配設させかつロック部材９のロック歯８がメモリプレートの係合孔を介して係合する多数のロック孔１３を穿設してある。【選択図】図１
2008189085.tif 000002
【特許請求の範囲】
【請求項１】
自動車のフロアに固定されるロアレールと、該ロアレールに摺動可能に嵌合されるアッパレールとから成り、該ロアレールとアッパレール内には操作レバーにより作動されかつアッパレールに回動可能に取付けられる連結部材と、該連結部材に接続されかつアッパレールに回動可能に取付けられる連動部材と、ケーブルを介してシートバックに連結されかつアッパレールに回動可能に取付けられると共にシートバックの起立位置に付勢されているロック解除部材と、レールの摺動を規制するロック歯を有しかつアッパレールに回動可能に取付けられると共にロック位置に付勢されているロック部材とを配設し、ロアレールには係合孔と係合片とを有すると共にシート位置を記憶するメモリプレートを配設し、ロアレールの底面にはロック部材のロック歯がメモリプレートの係合孔を介して係合する多数のロック孔を穿設し、ロック解除部材にはシートバックの前倒においてロック部材に係合してロック部材を持上げてロック歯をロアレールのロック孔から離脱させる係合突起を設け、元のシート位置を記憶するためにメモリプレートが配設されているロアレールに沿ってアッパレールを摺動可能にし、連動部材には操作レバーの作動によりメモリプレートの係合片と係合してロック位置のロック部材を持上げてロック歯をロアレールのロック孔から離脱させる係合舌片を設け、所望のシート位置を記憶するためにメモリプレートと共にアッパレールをロアレールに沿って摺動可能にした自動車用のシート調整装置。
【発明の詳細な説明】
【技術分野】
【０００１】
本発明は自動車用シート調整装置、特に後方のシートに乗り込む場合に前方のシートを前方に移動させるウオークイン動作を行うためのシート調整装置に関するものである。
【背景技術】
【０００２】
従来、この種のシート調整装置はウオークイン動作後にシートバックを起こして元の位置に戻す場合に、シートをウオークイン動作前の元の位置に戻すことができるメモリ機構を備えている（特許文献１参照）。この特許文献１に記載のメモリ機構を有するシート調整装置は従来周知のものと同様にノッチを有する固定レールと、該固定レールに摺動可能に取付けられた可動レールと、該可動レールに回動可能に取付けられかつ固定レールのノッチと係脱可能な歯を有するラッチとからなり、位置記憶機構（メモリ機構）として固定レールに固定したノッチ付バーと、ノッチ付バーに摺動可能に取付けたシューと、ノッチ付バーに沿ってシューを摺動させる状態を有する位置とノッチに歯を係合させることによりノッチ付バーにシューをロックさせる状態を有する位置とに回動可能にシューに取付けたキャッチ部材とを備え、更にシートバックを前倒しすることによりケーブルを引っ張り、ラッチを回動させてロックを解除し、ウオークイン動作を可能にするロック部材を設けている。
【０００３】
【特許文献１】特開平８−２５３０６４号公報
【発明の開示】
【発明が解決しようとする課題】
【０００４】
上述した特許文献１に記載のシート調整装置は位置記憶機構が可動レールと固定レールとからなるシートレールの外側に設けられており、位置記憶機構に物が挟まったり、荷物または乗客の足が衝突し、位置記憶機構に故障が生じる危険があり、またその構造が複雑であり、シート調整装置が大型になってしまうため自動車に装着するのに不都合がある。
【０００５】
本発明の目的はメモリ機構をアッパレールとロアレール内に完全に配設させることができ、シート調整装置を大型化することなくその構造を非常に簡素化させ、確実かつ安定したメモリ作動を行うことができるメモリ機構を有するシート調整装置を提供することにある。
【課題を解決するための手段】
【０００６】
本発明によるシート調整装置は自動車のフロアに固定されるロアレールと、該ロアレールに摺動可能に嵌合されるアッパレールとから成っている。嵌合されたロアレールとアッパレール内には操作レバーにより作動されかつアッパレールに回動可能に取付けられる連結部材と、該連結部材に接続されかつアッパレールに回動可能に取付けられる連動部材と、ケーブルを介してシートバックに連結されかつアッパレールに回動可能に取付けられると共にシートバックの起立位置に付勢されているロック解除部材と、レールの摺動を規制するロック歯を有しかつアッパレールに回動可能に取付けられると共にロック位置に付勢されているロック部材とが配設されている。ロアレールには係合孔と係合片とを有すると共にシート位置を記憶するメモリプレートが配設され、ロアレールの底面にはロック部材のロック歯がメモリプレートの係合孔を介して係合する多数のロック孔が穿設されている。ロック解除部材にはシートバックの前倒においてロック位置のロック部材に係合してロック部材を持上げてロック歯をロアレールのロック孔から離脱させる係合突起が設けられ、元のシート位置を記憶するためにメモリプレートが配設されているロアレールに沿ってアッパレールを摺動可能にさせてある。更に連動部材には操作レバーの作動によりメモリプレートの係合片と係合してロック位置のロック部材を持上げてロック歯をロアレールのロック孔から離脱させる係合舌片が設けられ、所望のシート位置を記憶するためにメモリプレートと共にアッパレールをロアレールに沿って摺動可能にさせてある。
【発明の効果】
【０００７】
本発明においてはメモリ機構をアッパレールとロアレール内にすべて完全に配設させることができるので、メモリ機構に物が挟まったり、荷物や乗客の足が衝突することもなく非常に安全で確実にシート調整を行うことができると共にシートを元の位置に安全かつ確実に復帰させることができ、またシート調整装置を大型化することなく、少ない部品で構成でき、その構造を簡素化させることができ、更に確実かつ安定したメモリ作動を行うことができる。
【発明を実施するための最良の形態】
【０００８】
本発明によるメモリ機構を有するシート調整装置は自動車のフロアに固定されるロアレール１と、該ロアレール１にばねによりボールベアリングを介して摺動可能に嵌合されているアッパレール２とからなっている。ロアレール１とアッパレール２内には操作レバー３により作動される連結部材４と、該連結部材４に接続された連動部材５と、ロック解除部材６と、保持部材７と、ロック歯８を有するロック部材９とを配設している。
【０００９】
ロアレール１の底面には係合孔１０と係合片１１とを有しかつシート位置を記憶するメモリプレート１２を配設すると共にロック部材９のロック歯８が係合する多数のロック孔１３を穿設してある。
【００１０】
連結部材４は一端に操作レバー３により作動される作動片１４を備え、その他端には連動部材５に係合する接続片１５を設け、該作動片１４と接続片１５との間には軸１７の軸孔１６を有している。軸１７と軸孔１６により連結部材４を取付け部材１８でアッパレール２に回動可能に取付けてある。操作レバー３を作動させることによりその一端の作動片１４が持上がり、連結部材４は軸１７を中心に回動し、その他端の接続片１５が下降するようになっている。
【００１１】
連動部材５は一端に連結部材４の接続片１５を嵌挿させる係合凹部１９を有し、その他端にはメモリプレート１２の係合片１１と係合可能な係合舌片２０を備え、該係合凹部１９と係合舌片２０との間には軸２２の軸孔２１を設けると共に該軸孔２１と係合舌片２０との間にはロック部材９のロック歯８を配置させる開口部２３を穿設してある。連動部材５は軸孔２１と軸２２によりアッパレール２に回動可能に取付けられ、連結部材４の接続片１５の下降に伴ってその一端の係合凹部１９が下降し、連動部材５が軸２２を中心に回動し、その他端の係合舌片２０が持上がり、メモリプレート１２の一端の係合片１１に係合して該メモリプレート１２の係合孔１０側の一端部を持上げると共にロック部材８を持上げるようになっている。
【００１２】
ロック解除部材６は連動部材５と同じ軸２２とその軸孔２１ａでアッパレール２に回動可能に軸承され、その上部にはアッパレール２の上壁に穿設した窓２４を通じて延伸している作動部２５を備え、その下部にはロック部材９と係合可能な係合突起２６を有している。ロック解除部材６の作動部２５はその一端をばね２７を介してアッパレール２の上壁に取付けたフランジ２８に取付けられ、その他端にはケーブル２９が取付けられており、該ケーブル２９はアッパレール２の上壁に取付けたフランジ３０に固定されている支持部材３１を通してシートバック３２に取付けられている。ロック解除部材６は作動部２５の一端に取付けたばね２７により軸２２を中心に時計廻り方向に、即ちシートバック３２の起立方向に付勢されている。またロック解除部材６の係合突起２６はロック解除部材６の回動によりロック部材９を持上げ、ロック歯８をロアレール１のロック孔１３から離脱させることができるようになっている。
【００１３】
保持部材７は連動部材５及びロック解除部材６と同じ軸２２とその軸孔２１ｂでアッパレール２に回動可能に軸着され、その内側に連動部材５と、ロック解除部材６と、ロック部材９のロック歯８とを保持し、その底面には連動部材５の開口部２３を介してロック部材９のロック歯８が嵌挿される保持歯３３を備えている。保持歯３３にロック歯８を嵌挿させることによって、車両の衝突等でレールに荷重が掛かった場合に、ロック強度をあげることができる。
【００１４】
ロック部材９は一端にロック解除部材６の係合突起２６と係合する係合縁３４とロアレール１に配設されたメモリプレート１２に形成した係合孔１０を通してロアレール１に穿設したロック孔１３に係合するロック歯８とを備え、その他端には軸孔３５を有する二又状の支持部３６を備えている。ロック部材９の支持部３６は軸孔３５と軸３７により取付け部材３８でアッパレール２の上壁に回動可能に取付けられ、さらにロック部材９の支持部３６上には取付け部材３８により板ばね３９が取付けられているので、ロアレール１の底面の方向に、即ちロック歯８がロアレール１のロック孔１３に係合する方向に付勢されている。
【００１５】
メモリプレート１２はロアプレート１の底面のほぼ全体にわたって穿設した多数のロック孔１３を隠しかつ上方に多少突出している盲目状部分４０を有し、その一端にはロック部材９のロック歯８が貫通する係合孔１０とロアレール１のロック孔１３に係合する係合爪４１を備えている。メモリプレート１２はその盲目状部分４０に磁石４２を取付け、該磁石４２でロアレール１に移動可能に貼着されている。更にメモリプレート１２にはその後端に連動部材５の係合舌片２０が係合する係合片１１を突設し、連動部材５の回動により係合舌片２０がメモリプレート１２の係合片１１と係合して係合爪４１をロアレール１のロック孔１３から離脱させ、メモリプレート１２の係合孔１０側の後端部をロアレール１の下面から持上げると共にロック部材９を持上げてロック歯８をロアレール１のロック孔１３から離脱させることができるようになっている。
【００１６】
次にウオークイン動作を行うために、シートを前方に移動させ、その後シートバックを起立させてシートを元のシート位置に復帰させる場合の操作について説明する。
【００１７】
ロアレール１にアッパレール２を調整位置にロックさせた状態を示す図１の状態において、シートバック３２を前倒しすると、ケーブル２９が引っ張られ、ケーブル２９がばね２７に抗してロック解除部材６の作動部２５を引っ張ってロック解除部材６を反時計廻り方向に回動させると、ロック解除部材６の係合突起２６がロック部材９の係合縁３４と係合してロック部材９を板ばね３９に抗して持上げ、ロック部材９のロック歯８が持上がり、メモリプレート１２の係合孔１０内のロアプレート１のロック孔１３から離脱すると、ロアレール１とアッパレール２とに取付けたばね（図示せず）によりアッパレール２がアッパレール２に取付けた操作レバー３と、連結部材４と、連動部材５と、ロック解除部材６と、保持部材７と、ロック部材９と共にロアレール１に沿って前方に摺動し、この状態が図２に示され、図２はロックが解除され、ロアレール１に沿ってアッパレール２が多少前方に移動した状態であり、この状態においてメモリプレート１２はその係合爪４１がロアレール１のロック孔１３と係合しており、また磁石４２によりロアレール１に貼着された状態で固定されているので、メモリプレート１２はウオークイン動作前の元の位置を保持したまま、ロアレール１に沿ってアッパレール２をその前方に移動させること、即ちシートバック３２を前倒状態でシートをその最前位置に移動させることができる。その後シートバック３２を起立させるとロック解除部材６は図２に示した位置からばね２７により時計廻り方向に回動して図１に示した位置となり、ロック部材９は板ばね３９に押圧されて下方向に移動するが、そのロック歯８はメモリプレート１２の盲目状部分４０上に載置され、ロアレール１に沿ってアッパレール２を退進させるとメモリプレート１２の盲目状部分４０に沿ってロック歯８が後退し、ウオークイン動作前の元の位置を保持したメモリプレート１２の係合孔１０に到来し、ロック歯８のすべての歯がメモリプレート１２の係合孔１０に入った時にロック歯８がメモリプレート１２の係合孔１０を通ってロアレール１のロック孔１３に嵌挿されることによりアッパレール２がロアレール１にロックされ、シートはウオークイン動作前の元の位置に戻り、その位置でロックされる。
【００１８】
次に通常の操作レバーによってアッパレールとロアレールとのロック位置を所望の位置に調整する場合の操作について説明する。図１に示したシートのロック位置において、操作レバー３を作動させると、連結部材４の作動片１４が持上がり、連結部材４が軸１７を中心に回動してその接続片１５を押下げ、それにより連結部材４の接続片１５と係合している連動部材５の係合凹部１９が押下げられると、連動部材５が軸２２を中心に回動してその係合舌片２０を持上げる。連動部材５の係合舌片２０が持上げられると、該係合舌片２０はメモリプレート１２の係合片１１に係合してメモリプレート１２の係合孔１０側の後端部を折曲状に持上げると共にロック部材９を持ち上げ、そのロック歯８を持上げてロアレール１のロック孔１３から外すことができ、この状態を図３に示してある。それによりアッパレール２はロアレール１に沿ってアッパレール２に取付けてある操作レバー３と、連結部材４と、連動部材５と、ロック解除部材６と、保持部材７と、ロック部材９と共に前後方向に摺動することができ、この時に連動部材５の係合舌片２０がメモリプレート１２の係合片１１と係合してメモリプレート１２の係合孔１０側の後端部を持上げ、その係合爪４１をロアレール１のロック孔１３から外すので、磁石４２を貼着したメモリプレート１２も連動部材５に引っ張られてロアレール１に沿って前後方向に摺動する。ロアレール１に沿ってアッパレール２を移動させた所望の調整位置において操作レバー３を戻すと、連結部材４の作動片１４が降下し、連結部材４が軸１７を中心に回動してその接続片１５を持上げ、それにより連動部材５の係合凹部１９も持上げられて連動部材５が回動し、その一端の係合舌片２０を押下げる。該係合舌片２０が押下げられると、メモリプレート１２の係合孔１０側の折曲状に持上げられた一端部も下方向に降下し、ロック部材９が板ばね３９により下方向に押圧され、そのロック歯８がメモリプレート１２の係合孔１０を通してメモリプレート１２の係合爪１４と共にロアレール１のロック孔１３に係合し、アッパレール２がロアレール１にロックされ、シートは所望のロック位置に調整される。
【図面の簡単な説明】
【００１９】
【図１】ロアレールにアッパレールを調整位置にロックさせた状態を示す本発明によるシート調整装置の長手方向に沿う縦断正面図である。
【図２】ウオークイン動作を行うために調整位置から多少前方に移動した状態を実線で示し、ウオークイン作動前の元の調整位置に戻った状態を二点鎖線で示す図１と同様の縦断正面図である。
【図３】ロック位置を所望の位置に調整するためにロックを解除した状態を示す図１と同様の縦断正面図である。
【図４】図１の平面図である。
【図５】図１のＡ−Ａ線に沿う縦断側面図である。
【図６】本発明によるシート調整装置の各構成部材を分解して示した斜視図である。
【符号の説明】
【００２０】
１          ロアレール
２          アッパレール
３          操作レバー
４          連結部材
５          連動部材
６          ロック解除部材
７          保持部材
８          ロック歯
９          ロック部材
１０        係合孔
１１        係合片
１２        メモリプレート
１３        ロック孔
２０        係合舌片
２６        係合突起
２９        ケーブル
３２        シートバック
【図１】
2008189085.tif 000003
【図２】
2008189085.tif 000004
【図３】
2008189085.tif 000005
【図４】
2008189085.tif 000006
【図５】
2008189085.tif 000007
【図６】
2008189085.tif 000008